(57)【要約】【課題】給湯装置の熱効率を向上できるヒートポンプ給湯装置を提供する。【解決手段】冷房用膨張弁１７と室外熱交換器１８の間の下流側冷媒循環配管１５ｂに給湯用熱交換器３８を配設し、給湯用熱交換器３８と室外熱交換器１８との間に暖房用膨張弁４４、補助暖房用膨張弁４５を設け、冷房用膨張弁１７と給湯用熱交換器３８との間に電磁切換弁４６を接続し、該電磁切換弁４６にバイパス配管４７を接続する。給水配管３７の水の温度を水温度検出器５５によって検出し、下流側冷媒循環配管１５ｂの冷媒ガスの温度を冷媒温度検出器５６によって検出する。冷媒ガスの温度が水の温度よりも低い場合には、制御装置５７から電磁切換弁４６をバイパスポートに切り換えて、冷媒ガスの給湯用熱交換器３８への供給を停止する。【選択図】図１
2011163572.tif 000002
【特許請求の範囲】
【請求項１】
圧縮機に冷媒循環配管を接続し、該冷媒循環配管に暖房用の室内熱交換器、暖房用膨張弁及び室外熱交換器を順に接続してヒートポンプ回路を構成し、前記室内熱交換器と前記暖房用膨張弁との間の冷媒循環配管と、給湯装置の給水管との間に給湯用熱交換器を設け、前記室内熱交換器と前記給湯用熱交換器との間の冷媒循環配管に電磁切換弁を設け、該電磁切換弁に前記給湯用熱交換器を迂回するバイパス配管を設け、前記給湯用熱交換器の上流側の冷媒循環配管内の冷媒の温度を検出する冷媒温度検出器を設け、前記給湯用熱交換器の上流側の給水管内の水温度を検出する水温度検出器を設け、前記冷媒温度検出器及び水温度検出器からの検出信号に基づいて、冷媒温度が水温度よりも低いか否かを判定し、冷媒温度が水温度よりも低い場合には、前記電磁切換弁を作動して、バイパス配管に冷媒を流すようにした制御装置を備えていることを特徴とするヒートポンプ式暖房給湯装置。
【請求項２】
請求項１において、前記給湯用熱交換器と前記暖房用膨張弁との間の冷媒循環配管には、キャピラリーチューブよりなる補助暖房用膨張弁が接続されていることを特徴とするヒートポンプ式暖房給湯装置。
【請求項３】
請求項１又は２において、前記圧縮機には四方弁を介して冷媒循環配管が接続され、前記電磁切換弁と、室内熱交換器との間には、冷房用膨張弁が接続され、該冷房用膨張弁には、暖房運転時に冷媒を迂回させるための逆止弁を有するバイパス配管が並列に接続され、前記暖房用膨張弁には、冷房運転時に冷媒を迂回させるための逆止弁を有するバイパス配管が並列に接続されていることを特徴とするヒートポンプ式暖房給湯装置。
【請求項４】
請求項３において、前記室外熱交換器は、地熱を利用する地熱交換器であって、冷房運転及び給湯運転において、該地熱交換器に冷媒が供給されないようにするためのバイパス配管が設けられ、該バイパス配管及び冷媒循環配管に冷媒の流路の切り換え用の電磁開閉弁が接続されていることを特徴とするヒートポンプ式暖房給湯装置。
【請求項５】
請求項１〜４のいずれか一項において、給湯用熱交換器の出口側の温水配管と、前記圧縮機の吐出配管との間には、別の給湯用熱交換器が設けられていることを特徴とするヒートポンプ式暖房給湯装置。
【発明の詳細な説明】
【技術分野】
【０００１】
本発明は、ヒートポンプ回路の暖房運転時における熱を有効に利用して、給湯装置の熱効率を向上することができるヒートポンプ式暖房給湯装置に関する。
【背景技術】
【０００２】
従来のヒートポンプ式冷暖房給湯装置として、図７に示すものが提案されている。この給湯装置においては、圧縮機１１に接続された吐出配管１２及び吸入配管１３に四方弁１４を介して冷媒循環配管１５が接続されている。前記冷媒循環配管１５には、室内熱交換器１６、冷房用膨張弁１７及び室外熱交換器１８が接続されている。前記冷媒循環配管１５には、給湯用熱交換器３８が配設されている。そして、室内熱交換器１６による室内暖房運転時において、該室内熱交換器１６から流出された冷媒の例えば５０℃程度の熱を利用して、給水ポンプ３５から配管３７を介して給湯用熱交換器３８に供給された例えば５℃程度の水を例えば４５℃程度の温水に加熱するようになっている。
【０００３】
特許文献１には、ヒートポンプ回路の冷媒循環配管の熱を利用して、給湯装置の水循環配管の水を加熱するヒートポンプ装置が開示されている。
【先行技術文献】
【特許文献】
【０００４】
【特許文献１】特開２００６−３２９５６８号公報（要約書参照）
【発明の概要】
【発明が解決しようとする課題】
【０００５】
ところが、従来の給湯装置は、室内熱交換器１６から流出された冷媒ガスの温度が何らかの要因により低下することによって、給湯用熱交換器３８による熱交換前の水の温度よりも冷媒ガスの温度が低い場合にも、冷媒ガスを給湯用熱交換器３８に通してしまう。このため、水が冷却されてしまい、給湯装置の水の熱を奪う結果となり、熱効率が低下するという問題があった。
【０００６】
本発明は、上記従来の技術に存する問題点を解消して、給湯装置の熱効率を向上することができるヒートポンプ式暖房給湯装置を提供することにある。
【課題を解決するための手段】
【０００７】
上記問題点を解決するために、請求項１に記載の発明は、圧縮機に冷媒循環配管を接続し、該冷媒循環配管に暖房用の室内熱交換器、暖房用膨張弁及び室外熱交換器を順に接続してヒートポンプ回路を構成し、前記室内熱交換器と前記暖房用膨張弁との間の冷媒循環配管と、給湯装置の給水管との間に給湯用熱交換器を設け、前記室内熱交換器と前記給湯用熱交換器との間の冷媒循環配管に電磁切換弁を設け、該電磁切換弁に前記給湯用熱交換器を迂回するバイパス配管を設け、前記給湯用熱交換器の上流側の冷媒循環配管内の冷媒の温度を検出する冷媒温度検出器を設け、前記給湯用熱交換器の上流側の給水管内の水温度を検出する水温度検出器を設け、前記冷媒温度検出器及び水温度検出器からの検出信号に基づいて、冷媒温度が水温度よりも低いか否かを判定し、冷媒温度が水温度よりも低い場合には、前記電磁切換弁を作動して、バイパス配管に冷媒を流すようにした制御装置を備えていることを要旨とする。
【０００８】
請求項２に記載の発明は、請求項１において、前記給湯用熱交換器と前記暖房用膨張弁との間の冷媒循環配管には、キャピラリーチューブよりなる補助暖房用膨張弁が接続されていることを要旨とする。
【０００９】
請求項３に記載の発明は、請求項１又は２において、前記圧縮機には四方弁を介して冷媒循環配管が接続され、前記電磁切換弁と、室内熱交換器との間には、冷房用膨張弁が接続され、該冷房用膨張弁には、暖房運転時に冷媒を迂回させるための逆止弁を有するバイパス配管が並列に接続され、前記暖房用膨張弁には、冷房運転時に冷媒を迂回させるための逆止弁を有するバイパス配管が並列に接続されていることを要旨とする。
【００１０】
請求項４に記載の発明は、請求項３において、前記室外熱交換器は、地熱を利用する地熱交換器であって、冷房運転及び給湯運転において、該地熱交換器に冷媒が供給されないようにするためのバイパス配管が設けられ、該バイパス配管及び冷媒循環配管に冷媒の流路の切り換え用の電磁開閉弁が接続されていることを要旨とする。
【００１１】
請求項５に記載の発明は、請求項１〜４のいずれか一項において、給湯用熱交換器の出口側の温水配管と、前記圧縮機の吐出配管との間には、別の給湯用熱交換器が設けられていることを要旨とする。
【００１２】
（作用）
本発明は、室内暖房運転が行われている状態で、室内熱交換器から流出された冷媒ガスの温度が給湯装置側の水の温度より高い場合には、制御装置からの切換信号によって電磁切換弁が給湯用熱交換器に冷媒を供給するポートに切り換えられる。このため、冷媒が給湯用熱交換器に供給され、水が冷媒の熱によって加熱される。一方、何らかの要因によって、冷媒の温度が水の温度よりも低くなると、制御装置から電磁切換弁に切換信号が出力されて、該電磁切換弁がバイパスポートに切り換えられる。このため、温度の低い冷媒が給湯用熱交換器に供給されて、給湯装置の水が冷却されるのを防止することができる。
【発明の効果】
【００１３】
本発明によれば、給湯装置の水が給湯用熱交換器において冷媒によって冷却されることはないので、給湯装置の熱効率を向上することができる。
【図面の簡単な説明】
【００１４】
【図１】この発明を具体化したヒートポンプ式冷暖房給湯装置の一実施形態を示す室内暖房及び給湯運転状態の回路図。
【図２】ヒートポンプ式冷暖房給湯装置の室内暖房及び床暖房運転状態の回路図。
【図３】ヒートポンプ式冷暖房給湯装置の室内暖房、床暖房及び給湯運転状態の回路図。
【図４】ヒートポンプ式冷暖房給湯装置の室内冷房及び給湯運転状態の回路図。
【図５】ヒートポンプ式冷暖房給湯装置の床暖房運転形態の回路図。
【図６】この発明の別の実施形態を示すヒートポンプ式冷暖房給湯装置の室内暖房及び給湯運転状態の回路図。
【図７】従来のヒートポンプ式冷暖房給湯装置を示す回路図。
【発明を実施するための形態】
【００１５】
以下、本発明を具体化したヒートポンプ式冷暖房給湯装置の一実施形態を図１〜図５に従って説明する。
図１に示すように、低温・低圧の例えば新冷媒ＨＦＣ（４１０Ａ）或いは二酸化炭素の冷媒ガスを吸入して圧縮し、高温・高圧の冷媒ガスを吐出する圧縮機１１の吐出口及び吸入口に接続された吐出配管１２及び吸入配管１３には四方弁１４が接続されている。この四方弁１４には、冷媒循環配管１５が接続され、該冷媒循環配管１５には室内熱交換器１６、冷房用膨張弁１７及び室外熱交換器１８が順に接続され、これらの部品により、従来周知のヒートポンプ回路が構成されている。
【００１６】
次に、前記冷媒循環配管１５に接続された床暖房回路について説明する。
この実施形態においては、前記四方弁１４と室内熱交換器１６の間の冷媒循環配管１５を、図１に示す給湯装置の後述する暖房運転状態（図１の矢印方向に冷媒ガスが流れる）における前記室内熱交換器１６の上流側冷媒循環配管１５ａと言う。又、室内熱交換器１６と室外熱交換器１８との間の冷媒循環配管１５を、前記室内熱交換器１６の下流側冷媒循環配管１５ｂと言う。四方弁１４と室外熱交換器１８の間の配管を配管１５ｃと言う。
【００１７】
前記吐出配管１２には、第１電磁開閉弁２１が接続され、該第１電磁開閉弁２１の前後の吐出配管１２に分岐接続された二本の冷媒配管２２，２３には、第１床暖房用配管２４が蛇行するように接続されている。前記室内熱交換器１６と膨張弁１７の間の下流側冷媒循環配管１５ｂには、第２電磁開閉弁２５が接続され、該第２電磁開閉弁２５の前後の下流側冷媒循環配管１５ｂに分岐接続された分岐配管２６，２７には、第２床暖房用配管２８が蛇行するように接続されている。前記分岐配管２７には逆止弁２９が接続されている。
【００１８】
次に、前記室内熱交換器１６、床暖房用配管２４，２８の暖房に用いられた後の冷媒の熱を利用して、水を加熱するようにした給湯装置について説明する。
貯水タンク３３には、配管３４を介して給水ポンプ３５が接続されている。水源３６は配管を介して前記配管３４に接続されている。前記給水ポンプ３５の吐出側の給水配管３７には、前記下流側冷媒循環配管１５ｂ内の冷媒の熱を利用して、水を加熱するための第１給湯用熱交換器３８が配設されている。この第１給湯用熱交換器３８の出口側に接続された温水配管３９には、前記吐出配管１２内の冷媒の熱を利用して水をさらに加熱するための第２給湯用熱交換器４０が配設されている。第２給湯用熱交換器４０の出口側の配管４１には、電気ヒータ４２及び蛇口４３が接続されている。前記配管４１は貯水タンク３３にも接続され、貯水タンク３３内の温水を蛇口４３に供給することができるようになっている。
【００１９】
前記下流側冷媒循環配管１５ｂには、前記第１給湯用熱交換器３８と室外熱交換器１８との間に位置するように、暖房用膨張弁４４が接続されている。前記下流側冷媒循環配管１５ｂには、前記第１給湯用熱交換器３８と暖房用膨張弁４４との間に位置するように、キャピラリーチューブよりなる補助暖房用膨張弁４５が接続されている。
【００２０】
前記下流側冷媒循環配管１５ｂには、前記膨張弁１７と第１給湯用熱交換器３８の間に位置するように、電磁切換弁４６が接続され、該電磁切換弁４６に分岐接続されたバイパス配管４７が前記第１給湯用熱交換器３８及び補助暖房用膨張弁４５と並列になるように接続されている。
【００２１】
前記下流側冷媒循環配管１５ｂには、冷房用膨張弁１７と並列にバイパス配管４９が接続され、該バイパス配管４９には逆止弁５０が接続されている。そして、ヒートポンプ回路が暖房運転状態において、前記冷房用膨張弁１７に冷媒が供給されないようになっている。前記下流側冷媒循環配管１５ｂには、暖房用膨張弁４４と並列にバイパス配管５２が接続され、該バイパス配管５２には逆止弁５３が接続されている。そして、ヒートポンプ回路が冷房運転状態においては、前記暖房用膨張弁４４に冷媒が供給されないようになっている。
【００２２】
前記給水配管３７には、給水ポンプ３５から配管３７を介して第１給湯用熱交換器３８に供給される水の温度を検出するための水温度検出器５５が設けられている。前記膨張弁１７と電磁切換弁４６との間の下流側冷媒循環配管１５ｂには、前記第１給湯用熱交換器３８に供給される冷媒の温度を検出するための冷媒温度検出器５６が設けられている。前記水温度検出器５５及び冷媒温度検出器５６によって検出された温度の検出値は、制御装置５７に送信されるようになっている。この制御装置５７は、前記第１給湯用熱交換器３８に供給される冷媒の温度Ｔｇと、第１給湯用熱交換器３８に供給される水の温度Ｔｗとを比較して、冷媒の温度Ｔｇが熱交換される前の水の温度Ｔｗよりも高い場合には、電磁切換弁４６が前記給湯用熱交換器３８に冷媒を供給するポートに切り換えられるようになっている。反対に、冷媒の温度Ｔｇが水の温度Ｔｗよりも低い場合には、前記電磁切換弁４６がバイパスポートに切り換えられ、冷媒がバイパス配管４７によって第１給湯用熱交換器３８を迂回するようになっている。
【００２３】
次に、前記のように構成したヒートポンプ式冷暖房給湯装置の運転状態について説明する。
図１は、第１及び第２電磁開閉弁２１，２５が開放されるとともに、前記制御装置５７からの切換信号によって、前記電磁切換弁４６が給湯用熱交換器３８に冷媒を供給するポートに切り換えられている。又、給水ポンプ３５が作動され、水源３６から給水配管３７を介して給湯用熱交換器３８に水が供給されている状態を示す。このため、ヒートポンプ式冷暖房給湯装置が室内暖房状態及び給湯状態となり、床暖房用配管２４，２８が停止された状態となっている。この状態においては、圧縮機１１により圧縮された高温、高圧の冷媒ガスは、吐出配管１２及び四方弁１４を介して上流側冷媒循環配管１５ａから室内熱交換器１６に供給され、室内の暖房に供される。その後、冷媒は下流側冷媒循環配管１５ｂを通して、バイパス配管４９から給湯用熱交換器３８に供給され、給水配管３７によって給湯用熱交換器３８に供給された低温（例えば５℃）の水は、下流側冷媒循環配管１５ｂ内の高温度（例えば５０℃）の冷媒によって所定の温度（例えば４５℃）に加熱される。この加熱された水は温水配管３９を通して第２給湯用熱交換器４０に供給され、該第２給湯用熱交換器４０によって吐出配管１２を流れる高温度（例えば８５℃）の冷媒によって所定温度（例えば６５℃）に加熱され、蛇口４３から洗顔用の温水あるいは風呂用の温水として用いられる。余った温水は貯水タンク３３に貯留される。
【００２４】
一方、前記給湯用熱交換器３８の熱交換に用いられた下流側冷媒循環配管１５ｂの内部の冷媒は、給湯装置側の水と熱交換されることで、温度が所定温度（例えば５０℃）から低温度（例えば５℃）に低下し、冷媒ガスに対する液冷媒の比率が高くなる。この冷媒は前記補助暖房用膨張弁４５によって減圧膨張されて、液冷媒がガス化されて、冷媒ガスの占める割合が高くなる。さらに、ガス化されなかった液冷媒は暖房用膨張弁４４に導かれて減圧膨張され、冷媒ガスの比率が高くなるとともに、低温度（例えば０℃）となって前記室外熱交換器１８に供給される。室外熱交換器１８に供給された冷媒ガスは、外気の熱と熱交換されて、所定温度（例えば２℃）に加熱され、配管１５ｃ、四方弁１４及び吸入配管１３を介して圧縮機１１に吸入される。
【００２５】
水温度検出器５５によって検出された配管３７内の水の温度Ｔｗの検出値が前記制御装置５７に入力されるとともに、冷媒温度検出器５６によって検出された冷媒ガスの温度Ｔｇの検出値が制御装置５７に入力される。制御装置５７は前記冷媒ガスの温度Ｔｇが水の温度Ｔｗよりも高いか低いかを判定する。そして、冷媒ガスの温度Ｔｇ（例えば１０℃）が水の温度Ｔｗ（例えば１５℃）よりも低い場合には、制御装置５７から電磁切換弁４６に切換信号を出力し、冷媒を前記給湯用熱交換器３８、補助暖房用膨張弁４５には供給しないで、バイパス配管４７から暖房用膨張弁４４に供給する。このため、給湯用熱交換器３８によって水が冷媒ガスによって冷却されるのが防止され、熱効率が向上する。
【００２６】
次に、図２に基づいて、室内暖房及び給湯動作が停止され、床暖房が行われている状態について説明する。この状態では、前記給水ポンプ３５が停止されるとともに、前記第１電磁開閉弁２１及び第２電磁開閉弁２５が閉路ポートに切り換えられ、前記電磁切換弁４６がバイパスポートに切り換えられている。前記圧縮機１１から吐出された高温高圧の冷媒ガスは吐出配管１２から前記冷媒配管２２を通して床暖房用配管２４に導かれ、床暖房に供される。該床暖房用配管２４から冷媒配管２３を通して四方弁１４に導かれ、四方弁１４から上流側冷媒循環配管１５ａを通して停止状態の室内熱交換器１６を素通りし、下流側冷媒循環配管１５ｂ及び分岐配管２６を通して床暖房用配管２８に導かれ、床暖房に供される。その後、分岐配管２７を通して、再び下流側冷媒循環配管１５ｂに導かれ、バイパス配管４９からバイパス配管４７を通して暖房用膨張弁４４に導かれる。その後、室外熱交換器１８に導かれて、熱交換された後、圧縮機１１に戻される。
【００２７】
次に、図３に基づいて、室内暖房、床暖房及び給湯動作が行われている状態について説明する。この状態においては、第１及び第２電磁開閉弁２１，２５が閉鎖されるとともに、電磁切換弁４６が給湯用熱交換器３８に冷媒を供給するポートに切り換えられている。前記床暖房用配管２８の出口から下流側冷媒循環配管１５ｂに流動した冷媒ガスの温度は、比較的低い温度（例えば８℃）となっているので、前記給湯用熱交換器３８に供給される冷媒の温度Ｔｇが給湯用熱交換器３８に供給される水の温度Ｔｗ（１５℃）よりも低い状態となる。このため、制御装置５７からの切換信号により電磁切換弁４６がバイパスポートに切り換えられ、バイパス配管４７により給湯用熱交換器３８を迂回して冷媒が流れ、水が冷却されることがないので、熱エネルギーの損失を低減することができる。しかし、暖房負荷や水の温度はそれぞれ変化するので、前記冷媒の温度Ｔｇが水の温度Ｔｗよりも高い場合には、その熱エネルギーが給湯用熱交換器３８によって有効に利用される。
【００２８】
次に、図４に基づいて、室内冷房と給湯動作が行われている状態について説明す。
この状態では、前記第１及び第２電磁開閉弁２１，２５が開放されるとともに、電磁切換弁４６が給湯用熱交換器３８を有効にするポートに切り換えられている。圧縮機１１によって圧縮された高温高圧の冷媒ガスは、吐出配管１２及び四方弁１４を通して室外熱交換器１８に供給され、該室外熱交換器１８からバイパス配管５２を通して、補助暖房用膨張弁４５に供給され、該膨張弁４５によって減圧膨張される。その後、給湯用熱交換器３８に供給され、該給湯用熱交換器３８によって熱交換されて給水配管３７から供給された水が加熱され、温水配管３９から第２給湯用熱交換器４０に送られる。一方、給湯用熱交換器３８によって冷却された冷媒ガスは、冷房用膨張弁１７によって減圧膨張されて室内熱交換器１６に供給され、室内の冷房に供される。室内の冷房に供された冷媒ガスは、圧縮機１１に戻される。
【００２９】
次に、図５に基づいて、床暖房用配管２４によって床暖房のみが行われる場合について説明する。この場合には、前記第１電磁開閉弁２１が閉鎖されるとともに、第２電磁開閉弁２５が開放され、前記電磁切換弁４６がバイパスポートに切換られている。この状態においては、圧縮機１１から吐出された冷媒ガスは、吐出配管１２、冷媒配管２２を通して床暖房用配管２４に導かれ、床暖房に供される。その後、冷媒配管２３から吐出配管１２及び四方弁１４を通して、室外熱交換器１８に導かれ、ここで外気温と熱交換される。その後、暖房用膨張弁４４及びバイパス配管４７を通して冷房用膨張弁１７に導かれ、該冷房用膨張弁１７によって減圧膨張された冷媒ガスは、下流側冷媒循環配管１５ｂを通して室内熱交換器１６に導かれる。このとき、室内熱交換器１６が停止されているので、冷媒ガスは室内熱交換器１６を素通りして、圧縮機１１に戻される。
【００３０】
上記実施形態のヒートポンプ給湯装置によれば、以下のような効果を得ることができる。
（１）上記実施形態では、冷房用膨張弁１７の下流側の下流側冷媒循環配管１５ｂに給湯用熱交換器３８を配設するとともに、その下流側に補助暖房用膨張弁４５及び暖房用膨張弁４４を接続し、冷房用膨張弁１７と給湯用熱交換器３８との間の下流側冷媒循環配管１５ｂに電磁切換弁４６を接続し、電磁切換弁４６にバイパス配管４７を接続した。又、配管３７に水温度検出器５５を設けるとともに、下流側冷媒循環配管１５ｂに冷媒温度検出器５６を設け、水温度検出器５５及び冷媒温度検出器５６によって検出された水の温度と冷媒の温度とを制御装置５７によって比較して、冷媒の温度が水の温度より低い場合には、電磁切換弁４６をバイパス配管４７に切り換えるようにした。このため、配管３７から給湯用熱交換器３８に供給された水が冷却されるの防止することができ、給湯装置の熱効率を向上することができる。
【００３１】
（２）上記実施形態では、前記給湯用熱交換器３８と暖房用膨張弁４４との間にキャピラリーチューブよりなる補助暖房用膨張弁４５を接続したので、市販されている暖房用膨張弁４４のみでは、冷媒を適正に減圧膨張することができない点を補うことができる。このため、室外熱交換器１８に適正な気液混合状態の冷媒を供給して、熱交換を適正に行うことができ、暖房効率を向上することができる。
【００３２】
次に、この発明を具体化した別の実施形態を図６に基づいて説明する。
この実施形態においては、前述した室外熱交換器１８を、地中埋設型の地熱交換器とした点が異なり、その他の構成は前記実施形態と同様であるため、異なる点について説明する。
【００３３】
地中に埋設された複数の井戸ケーシング６１は、例えば５０〜１００ｍ程度に深く埋設されている。前記下流側冷媒循環配管１５ｂ及び冷媒循環配管１５ｃに並列に接続された熱交換配管６３が前記井戸ケーシング６１の井戸水６２に浸漬されている。前記下流側冷媒循環配管１５ｂ及び冷媒循環配管１５ｃをバイパスするバイパス配管６５には、電磁開閉弁６６が接続され、前記熱交換配管６３の両端部には、電磁開閉弁６７，６８が接続されている。
【００３４】
この実施形態においでは、室内暖房及び給湯状態において、前記下流側冷媒循環配管１５ｂから暖房用膨張弁４４に供給された冷媒は、該暖房用膨張弁４４によって減圧膨張されて、前記熱交換配管６３に導かれ、井戸水６２と熱交換されて、所定温度に加熱された後、圧縮機１１に戻される。このため、室外熱交換器１８の熱交換効率が向上し、暖房運転能力を向上することができる。
【００３５】
一方、室内の冷房運転状態においては、冷媒ガスが室外熱交換器１８の熱交換配管６３に供給されると、冷媒の温度（例えば２０℃）が、井戸水６２の温度（例えば  １５℃）よりも高いために、熱を奪われてしまうことになる。これを防止するために、前記電磁開閉弁６６を開放するとともに、電磁開閉弁６７，６８を閉鎖することによって、四方弁１４からバイパス配管６５を通して暖房用膨張弁４４に冷媒が供給されるようになっている。
【００３６】
なお、上記実施形態は以下のように変更してもよい。
・前記実施形態において、前記逆止弁５０，５３を電磁弁に変更してもよい。
・前記実施形態において、第１電磁開閉弁２１、冷媒配管２２，２３及び第１床暖房用配管２４を省略してもよい。又、前記第２電磁開閉弁２５、分岐配管２６、分岐配管２７、床暖房用配管２８及び第１逆止弁２９を省略してもよい。さらに、床暖房全てを省略してもよい。
【００３７】
・前記実施形態において、四方弁１４及び冷房用膨張弁１７を省略し、ヒートポンプ式暖房給湯装置としてもよい。
・ヒータ４２を省略してもよい。
【００３８】
・前記補助暖房用膨張弁４５を省略してもよい。この場合には暖房用膨張弁４４に、補助暖房用膨張弁４５の機能を併せ持つ構造のものを新たに製造して使用する。
【符号の説明】
【００３９】
１１…圧縮機、１２…吐出配管、１４…四方弁、１５…冷媒循環配管、１６…室内熱交換器、１７…冷房用膨張弁、１８…室外熱交換器、２９，５０，５３…逆止弁、３８…給湯用熱交換器、３９…温水配管、４４…暖房用膨張弁、４５…補助暖房用膨張弁、４６…電磁切換弁、４７，４９，５２，６５…バイパス配管、５５…水温度検出器、５６…冷媒温度検出器、５７…制御装置、６６，６７，６８…電磁開閉弁。
【図１】
2011163572.tif 000003
【図２】
2011163572.tif 000004
【図３】
2011163572.tif 000005
【図４】
2011163572.tif 000006
【図５】
2011163572.tif 000007
【図６】
2011163572.tif 000008
【図７】
2011163572.tif 000009